(57)【特許請求の範囲】
【請求項１】
表側ライナと裏側ライナとの間に中芯を配した耐水性を有する紙製の段ボールシートにおいて、
前記表側ライナの表面は印刷が施されて印刷層が形成され、アンカーコートによりポリエチレンテレフタレートの保護フィルムで被覆されており、
前記裏側ライナの表面はポリエチレンフィルムを介して吸水ライナが積層されており、
前記アンカーコートと前記保護フィルムとの間に低密度ポリエチレンフィルムが介設されてなり、
前記保護フィルムを包装箱の外表面となし、前記吸水ライナを包装箱の内表面となすように形成される包装箱用の段ボールシート。
【請求項２】
吸水ライナが、クラフト紙、エンボス加工紙または不織布からなっていることを特徴とする請求項１に記載の段ボールシート。
【請求項３】
請求項１または２に記載の段ボールシートを用い、保護フィルムが包装箱の外表面となり、吸水ライナが包装箱の内表面となるように形成されて、包装箱の収納物に付着した水分を吸水ライナが吸収して、表側ライナには浸透させないようにしたことを特徴とした保冷または保温輸送可能な包装箱。
【発明の詳細な説明】
【０００１】
【発明の属する技術分野】
この発明は、保冷または保温輸送に適した包装箱に用いる段ボールシートおよび包装箱に関する。
【０００２】
【従来の技術】
従来、表側ライナと裏側ライナとの間に中芯を配した耐水性を有する紙製の段ボール原紙を用いた包装箱として、本出願人は既に、特開平１１−２３６０７１号の魚箱などに用いることができる環境に優しい段ボールシート及び段ボール箱の発明や、特開２０００−７２１８３の青果物の鮮度を維持するようにした包装箱に係る発明を提案し、相応の成果を挙げている。
これら従来の発明では、包装箱の収納物に水分が付着している場合に、包装箱の内壁面側となる裏側ライナは耐水性を有して、包装箱の強度を維持することができると共に、収納物のために適度な水分を保持することができるようになっている。
一方、配送に際して保冷輸送や保温輸送が行われる場合には、包装箱内の収納物に結露が生じて水滴が包装箱の内部に溜まりやすい。
一例を挙げるならば、収納物が缶ビールの場合、これを宅配する際に保冷輸送を行うと缶ビールを輸送中に冷やすことができ、配達先には冷えた缶ビールを届けることができるので鮮度を保ったまま直ちに飲用に供することができるが、保冷輸送時には缶ビールの表面に結露が生じ、水滴が包装箱の内部に溜まりやすい。
このような場合、従来のような耐水性や水を弾く性質を有する段ボールでは、水分を収納スペースから除去することができず、内部に水が溜まったままとなるので配達先での取り扱いが煩わしくなり、逆に透水性を有する段ボールでは水分を吸着して型くずれしたり強度が損なわれるなどの欠点があった。
【０００３】
【発明が解決しようとする課題】
この発明は上記事情に鑑みて創案されたものであって、その主たる課題は、耐水性を有する段ボールシートの表側ライナには印刷を施して美粧性を備え、裏側ライナには吸水ライナを一体に設けて、収納物に付着する水滴を吸水ライナに吸収させるようにした保冷・保温輸送に適した包装箱用の段ボールシートを提供することにある。
この発明の別の課題は上記段ボールシートを用いた包装箱を提供することにある。
【０００４】
【課題を解決するための手段】
前記課題を達成するために、請求項１の段ボールシートの発明では、
表側ライナと裏側ライナとの間に中芯を配した耐水性を有する紙製の段ボールシートにおいて、
前記表側ライナの表面は印刷が施されて印刷層が形成され、アンカーコートによりポリエチレンテレフタレートの保護フィルムで被覆されており、
前記裏側ライナの表面はポリエチレンフィルムを介して吸水ライナが積層されており、
前記アンカーコートと前記保護フィルムとの間に低密度ポリエチレンフィルムが介設されてなり、
前記保護フィルムを包装箱の外表面となし、前記吸水ライナを包装箱の内表面となす、という技術的手段を講じている。
また、請求項２の発明では、前記吸水ライナが、クラフト紙、エンボス加工紙または不織布からなっている、という技術的手段を講じている。
【０００５】
次ぎに、請求項３の保冷または保温輸送可能な包装箱の発明では、
請求項１または２に記載の段ボールシートを用い、保護フィルムが包装箱の外表面となり、吸水ライナが包装箱の内表面となるように形成されて、包装箱の収納物に付着した水分を吸水ライナが吸収して、表側ライナには浸透させないようにしてなる、という技術的手段を講じている。
【０００６】
【発明の実施の形態】
以下に、この発明の保冷または保温輸送可能な包装箱に用いる段ボールシートの好適実施例を図面を参照して説明する。
図１は参考例としての保冷または保温輸送可能な包装箱に用いる段ボールシートの断面を示すものであって、この段ボールシート１は紙製であって、表側ライナ２と、裏側ライナ１０と、上記表側ライナ２と裏側ライナ１０との間に配した中芯１５とを備えている。
【０００７】
上記表側ライナ２は、本実施例の場合、２３０ｇ／ｍ２ 厚のコートボール紙からなっており、その表面には印刷が施されて印刷層３を形成している。
この印刷の一例としてはグラビア印刷が好ましいが、その他公知の印刷を施すこともできる。
この印刷層３の表面にはアンカーコート剤が塗布されてアンカーコート層４を形成しており、その上に保護フィルム層６として、１２μｍ厚のポリエチレンテレフタレート（ＰＥＴ）フィルムが一体に積層されている。
【０００８】
ここで、本発明の実施例である保冷または保温輸送可能な包装箱に用いる段ボールシートは、上記参考例のアンカーコート層４の上に、１５μｍ厚の低密度ポリエチレンフィルム５を介して前記保護フィルム６をラミネートにより一体に積層している（図２参照）。
これにより、表側ライナ２の表面には保護フィルム層６が形成され、この保護フィルム層６は包装箱の形成時に外表面となるので、包装箱の表面同士が擦れたりぶつかったりしても傷がつかず、印刷層３を保護することができるので、美粧性を有することができる。
【０００９】
次ぎに、上記裏側ライナ１０は、本実施例の場合、１７０ｇ／ｍ２ 厚のコートボール紙からなっており、その表面には１５μｍ厚の低密度ポリエチレンフィルム１１を介してクラフト紙等の吸水ライナ１２が接合されている。
ここで、上記低密度ポリエチレンフィルム１１に代えて、高密度のものを用いてもよい。
この吸水ライナ１２は、本実施例の場合、５０ｇ／ｍ２ のクラフト紙からなっているが、これに替えて、エンボス加工紙または不織布などの吸水性並びに断熱性を有するシートを一体に接合してもよい。
【００１０】
次ぎに、中芯１５は、１２０ｇ／ｍ２ からなっており、耐水性を有することが好ましい。
そして、この耐水性中芯１５は、酢酸ビニル系あるいは耐水化した殿粉糊などの耐水糊１６を介して表側ライナ２の内表面および裏側ライナ１０の内表面にそれぞれ糊付け接合されている。
中芯１５に対する耐水性の付与は、その片面、もしくはその両面に例えばポリエチレンフィルムをラミネートするなどの公知構成を用いることができる。
【００１１】
このようにして構成された段ボールシート１を用いて包装箱が形成される。
包装箱は、箱本体とそれに外嵌する外蓋とからなる化粧箱のような形状（図３参照）や、蓋を有さず箱型に一体に形成されたものなど、適宜形状とすることができる。
その際に、段ボールシート１の表側ライナ２の表面となる保護フィルム層６が包装箱の外壁表面となり、裏側ライナ１０の表面となる吸水ライナ１２は包装箱の内壁表面となるように箱２０が構成される（図３参照）。
【００１２】
このように包装箱２０の収納スペース２１は、前面が吸水ライナ１２によって囲まれ、この収納スペース２１内に缶ビールなどの収納物Ｇが収納される。
そこで、包装箱２０に収納物Ｇが収納されて、保冷輸送されると、包装箱２０内で缶ビールが冷えて缶の表面に水滴が結露するが、その水滴は吸水ライナ１２に吸収されるが、裏側ライナ１０や中芯１５までは浸透しないので、包装箱の収納スペース２１内には水滴が残らない。
また、吸収された水分は吸水ライナ１２に保持され、耐水性を有する段ボール原紙側には浸透しないので、包装箱２０が型くずれしたり、脆弱化する虞れもない。
【００１３】
この発明の段ボールシートを構成する各素材の厚みは一例であって前記実施例に限定されるものではなく、包装箱の用途や収納物の種類に対応して任意に設計変更をすることができる。
また保冷輸送について説明したが保温輸送においても同様である。
その他、要するにこの発明の要旨を変更しない範囲で種々設計変更しうること勿論である。
【００１４】
【発明の効果】
上記のようにこの発明の段ボールシートおよびこれを用いた包装箱では、外側の表面にＰＥＴの保護フィルムを積層したので傷つきにくく、印刷面を保護しうるので美粧性を有することができる。
また、保冷・保温輸送などで包装箱の収納物に水滴が付着しても、内側の表面に吸水ライナを積層したので水分を吸収することができ、包装箱の収納スペース内に水分を残すことなく保冷または保温された収納物を配送することができ、配達先で届けられた時点で直ちに鮮度を保った状態で収納物を使用に供することができるので、贈答用等の包装箱およびそれに用いる段ボールシートとして極めて有益である。
【図面の簡単な説明】
【図１】  段ボールシートの参考例を示す断面図である。
【図２】  段ボールシートの実施例を示す断面図である。
【図３】  包装箱の実施例を示す断面図である。
【図１】
0004634659.tif 000002
【図２】
0004634659.tif 000003
【図３】
0004634659.tif 000004